(57)【要約】【課題】水を磁化させる磁気エネルギー変動装置を提供する。【解決手段】  巻付き螺旋状パイプ１、磁性金属層２、中空コイルベース３および回路基板４を備える。巻付き螺旋状パイプ１の取入口１１には磁性体スイッチ１０が設けられる。磁性金属層２を巻付き螺旋状パイプ１の外周に被せて設ける。巻付き螺旋状パイプ１および磁性金属層２を中空コイルベース３内に設け、中空コイルベース３の外周にコイル３１を巻付ける。回路基板４を電源に外部接続し、磁性体スイッチ１０とコイル３１とを電性接続する。これにより、水が取入口を通過するとき、磁性体スイッチ１０を起動して電源とコイル３１とを通電し、コイル３１および磁性金属層２に動的磁場を発生させて、パイプ内の水を磁化させる。【選択図】  図１
0003108537.tif 000002
【実用新案登録請求の範囲】
【請求項１】
取入口および取出口を有して、前記取入口に磁性体スイッチが設置された巻付き螺旋状パイプと、
前記巻付き螺旋状パイプの外周に被せて設けられる磁性金属層と、
内部に設置空間が形成され、前記巻付き螺旋状パイプおよび前記磁性金属層が前記設置空間内に設置され、前記取入口および前記取出口が引き出され、その外周にコイルが巻き付けられた中空コイルベースと、
電源に外部接続され、前記磁性体スイッチと前記コイルとを電性接続する回路基板とを備える磁気エネルギー変動装置であって、
水が前記取入口を通過すると、前記磁性体スイッチが起動して前記電源と前記コイルとを通電し、前記コイルおよび前記磁性金属層に動的磁場を発生させて、前記パイプ内の水を磁化させることを特徴とする磁気エネルギー変動装置。
【請求項２】
前記巻付き螺旋状パイプは、プラスチックパイプ、セラミックパイプ、銅パイプまたはステンレスパイプであることを特徴とする請求項１記載の磁気エネルギー変動装置。
【請求項３】
前記中空コイルベースの底縁には、前記定位片が突出されて設けられ、前記定位片には固定孔が設けられることを特徴とする請求項１記載の磁気エネルギー変動装置。
【請求項４】
外カバーを備え、前記中空コイルベースの固定孔には固定部材を貫設して前記外カバー内に固設し、前記回路基板を前記外カバー内に固設し、前記取入口および前記取出口が前記外カバーから引き出され、前記外カバーの間に密封コイルが設けられることを特徴とする請求項３記載の磁気エネルギー変動装置。
【請求項５】
前記回路基板は、検知した水温が所定温度を超えたときに電源をオフする温度調整要素を備えることを特徴とする請求項１記載の磁気エネルギー変動装置。
【請求項６】
前記巻付き螺旋状パイプの前記取出口は、前記濾水装置の前記取入口に外部接続されることを特徴とする請求項１記載の磁気エネルギー変動装置。
【考案の詳細な説明】
【技術分野】
【０００１】
本考案は、磁気エネルギー変動装置に関し、特にコイルにより動的磁場を誘導して、水を磁化させる磁気エネルギー変動装置に関する。
【背景技術】
【０００２】
水は生活するのに無くてはならないものの一つである。しかし、家庭で飲む飲料水は環境汚染により水源が汚染されているため、先ず浄化濾過しなければ安心して飲用することが出来なかった。水を磁場処理して得られた磁化水は、細胞を活性化し、体質を弱アルカリ性に保ち、細菌の繁殖を抑制し、水垢の発生を防止し、水の味を更に甘くするなどといった多くの長所を有して、高い評価を受けている。
【０００３】
磁化水の製造装置に関しては、特許文献１の共鳴磁場水加熱装置においてコイルベースをステンレス製の水受けに設けて水を磁化する目的を達成することにより、飲用水の品質を向上させた。
【０００４】
上述の共鳴磁場水加熱装置は水を磁化することができるが、コイルベースとステンレス製の水受けとを組み合わせる方法は、水の磁化を更に十分に行う改善が可能であった。
【０００５】
上述したことから明らかなように、上述した従来の磁化水を製造する装置は、実際の使用上、明らかに不便性と欠点が存在したため、改善が期待されていた。
【０００６】
よって、本考案者は上述した欠点に鑑み、研究に専念して学理を運用することにより、ついに合理的な設計で、上述した欠点を効果的に改善することのできる本考案を提供することができた。
【特許文献１】台湾特許第１６４５５６号公報
【考案の開示】
【考案が解決しようとする課題】
【０００７】
本考案の主な目的は、水を更に十分に磁化し、水が通過するパイプ配列を更に効率良く行う磁気エネルギー変動装置を提供することにある。
【課題を解決するための手段】
【０００８】
上述の目的を達成するため、本考案は磁気エネルギー変動装置を提供し、それは巻付き螺旋状パイプ、磁性金属層、中空コイルベースおよび回路基板を備える。巻付き螺旋状パイプは取入口および取出口を有し、取入口には磁性体スイッチが設けられる。磁性金属層を巻付き螺旋状パイプの外周に被せて設ける。中空コイルベース内には設置空間が形成され、巻付き螺旋状パイプおよび磁性金属層が設置空間内に設けられ、取入口および取出口を中空コイルベースから引き出し、中空コイルベースの外周にコイルを巻付ける。そして、回路基板が電源に外部接続されて、磁性体スイッチとコイルとを電性接続する。
【０００９】
これにより、水が取入口を通過すると、磁性体スイッチが起動して電源とコイルとを通電し、コイルおよび磁性金属層に動的磁場を発生させて、磁性金属層中に環状に重ねられたパイプ内の水を磁化させて、巻付き螺旋状パイプの空間配置を更に効率良く行う。
【考案の効果】
【００１０】
本考案の磁気エネルギー変動装置は、次の長所を有する。
（１）巻付き螺旋状パイプが磁性金属層により被せられ、中空コイルベース中に設けられているため、環状に重ねられたパイプ内の水を更に十分に磁化することができる。
（２）巻付き螺旋状パイプ、磁性金属層および中空コイルベースをそれぞれ環状に重ねて設置し、水の磁化と空間の配置とを更に効率良く行うことができる。
【考案を実施するための最良の形態】
【００１１】
図１から図３に示すように、本実施形態の磁気エネルギー変動装置は、巻付き螺旋状パイプ１、磁性金属層２、中空コイルベース３および回路基板４を備える。巻付き螺旋状パイプ１は、取入口１１および取出口１２を有し、取入口１１には磁性体スイッチ１０が設けられる。巻付き螺旋状パイプ１は、プラスチックパイプ、セラミックパイプ、銅パイプまたはステンレスパイプである。
【００１２】
磁性金属層２は、巻付き螺旋状パイプ１の外周に被せて設けられる。中空コイルベース３の内部には設置空間３０が形成され、巻付き螺旋状パイプ１および磁性金属層２が設置空間３０内に設置され、取入口１１および取出口１２が中空コイルベース３から引き出され、中空コイルベース３の外周にはコイル３１が巻付けられる。
【００１３】
回路基板４は、電源に外部接続されて磁性体スイッチ１０とコイル３１とが電性接続される。
【００１４】
水が取入口１１を通過すると、磁性体スイッチ１０が起動して電源とコイル３１とを通電し、コイル３１の誘導により励起作用が発生し、コイル３１および磁性金属層２に磁力渦の動的磁場が発生して、パイプ１内の水を磁化させる。水流がオフされると、磁性体スイッチ１０は電源を自動的にオフする。
【００１５】
コイル３１と電源とを通電すると水温が上昇するため、回路基板４には検知した水温が所定温度（例えば６５℃）を超えたときに電源を自動的にオフする温度調整要素（図示せず）を設けてもよい。
【００１６】
図４に示すように、本実施形態の磁気エネルギー変動装置は、外カバー５を備え、中空コイルベース３の底縁に定位片３２が突出されて設けられ、定位片３２には固定孔３３が設けられ、固定孔３３へ固定部材３４が貫設されて外カバー５内に固設され、回路基板４をボルト（図示せず）或いはクランプ（図示せず）などの方式により外カバー５内に固設し、取入口１１および取出口１２は外カバー５から引き出され、外カバー５との間に密封コイル１４が設けられて、取入口１１を濾水装置６の取出口に外部接続する。そして、本実施形態の磁気エネルギー変動装置を独立して現存する濾水装置６と組み合わせて、飲用水の品質を向上することができる。
【００１７】
図５に示すように、外カバー５内部に濾水装置を同時に設置すると、濾水と浄水が一体化された組み合わせが形成され、より完全な効果を達成することができる。
【００１８】
本考案の具体的な実施形態の詳細な説明と図面を前述の通り開示したが、これらは決して本考案および本考案の特徴を限定するものではなく、当該技術に熟知するものが本考案の主旨に沿って行う等しい効果を有する修正や変更も、実用新案登録請求の範囲に含まれるべきである。
【図面の簡単な説明】
【００１９】
【図１】本考案の一実施形態を分解したときの状態を示す斜視図である。
【図２】本考案の一実施形態を組み立てたときの状態を示す斜視図である。
【図３】本考案の一実施形態を示す断面図である。
【図４】本考案に濾水装置を組み合わせたときの一実施形態を示す斜視図である。
【図５】本考案に濾水装置を組み合わせたときのもう一つの実施形態を示す斜視図である。
【符号の説明】
【００２０】
１    巻付き螺旋状パイプ
１０  磁性体スイッチ
１１  取入口
１２  取出口
１４  密封コイル
２    磁性金属層
３    中空コイルベース
３０  設置空間
３１  コイル
３２  定位片
３３  固定孔
３４  固定部材
４    回路基板
５    外カバー
６    濾水装置
【図１】
0003108537.tif 000003
【図２】
0003108537.tif 000004
【図３】
0003108537.tif 000005
【図４】
0003108537.tif 000006
【図５】
0003108537.tif 000007